(57)【要約】【課題】原稿の読み取り精度を向上させること。【解決手段】画像読取装置は、上面に原稿が位置するガラス３０１の下方を移動可能な移動体３０４と、移動体の上に配置されて、ガラスの上面の原稿を読み取るイメージセンサ３１６と、イメージセンサとガラスの下面との間に介在してイメージセンサに設けられたスペーサ３１５と、移動体とイメージセンサとの間に設けられて、イメージセンサをガラスの下面に付勢するばね３１４と、移動体とイメージセンサとの間に設けられて、イメージセンサがガラスの下面に沿って回動するのを阻止する回動阻止部３４０と、を備えている。ばねとスペーサは、主走査方向のイメージセンサの両端部にて、上下方向で重なって配置されて、イメージセンサの撓みを防止している。【選択図】図４
2015076858.tif 000002
【特許請求の範囲】
【請求項１】
上面に原稿が載置される透明体と、
前記透明体の前記上面と反対側の下面の下方を移動可能な移動体と、
前記移動体の上に配置されて、前記透明体の上面に載置される原稿を読み取る読取手段と、
前記読取手段に設けられて、前記読取手段と前記透明体の前記下面との間に介在するスペーサ部材と、
前記移動体と前記読取手段との間に設けられて、前記読取手段を前記透明体の前記下面へ付勢する付勢部材と、
前記移動体と前記読取手段との間に設けられて、前記移動体と前記読取手段とを係合する係合手段と、を備え、
前記付勢部材と前記スペーサ部材は、前記読取手段の前記移動体の移動方向に対して直交する方向の両端部にて、前記付勢部材の上方に前記スペーサ部材が配置され、
前記係合手段は、前記付勢部材及び前記スペーサ部材よりも、前記直交する方向において外側に配置されている、
ことを特徴とする画像読取装置。
【請求項２】
前記係合手段は、前記読取手段が前記付勢部材に付勢されて、前記移動体から分離するのを阻止する分離阻止部を備えた、
ことを特徴とする請求項１に記載の画像読取装置。
【請求項３】
前記係合手段は、前記読取手段が前記透明体の下面に沿って回動するのを阻止する回動阻止部を備えた、
ことを特徴とする請求項１または２に記載の画像読取装置。
【請求項４】
請求項１乃至３のいずれか１項に記載の画像読取装置と、
前記画像読取装置が読み取った画像から現像剤像を形成する現像剤像形成手段と、
前記現像剤像を記録媒体に形成する転写手段と、
前記転写手段で前記現像剤像が転写された前記記録媒体を加熱して、前記記録媒体に前記現像剤像を定着させる定着手段と、を備えた、
ことを特徴としている画像形成装置。
【発明の詳細な説明】
【技術分野】
【０００１】
本発明は、原稿を読み取る画像読取装置と、この画像読取装置を装置本体に備えた画像形成装置とに関する。
【背景技術】
【０００２】
従来、シートに画像を形成するプリンタ、複写機等の画像形成装置には、装置本体に画像読取装置を備えて、その画像読取装置が読み取った画像をシートに複写するようになっているものがある。この画像読取装置は、透明体としての原稿台ガラス上の原稿を、原稿台ガラスの下面を読取ユニットが移動して、読み取るようになっている。
【０００３】
読取ユニットは、読取ユニットの移動方向である副走査方向に１ラインずつ移動しながら、副走査方向に対して直交する主走査方向に配列してあるセンサによって、画像を読み取るようになっている。読取ユニットは、原稿台ガラスの下方を移動する移動体と、移動体の上方に配置されて、原稿台ガラスの上面に位置する原稿を読み取る密着型のイメージセンサとを備えている。そして、読取ユニットは、読み取り精度を一定に保つため、イメージセンサを原稿台ガラスの下面に対して、一定の隙間を保持して副走査方向に移動するようになっている。
【０００４】
このため、読取ユニットは、イメージセンサと原稿台ガラスとの隙間を保持するため、イメージセンサと原稿台ガラスの下面との間にスペーサを介在させてある。スペーサは、イメージセンサに設けられて、イメージセンサと一体に副走査方向に移動するようになっている。また、読取ユニットは、スペーサが原稿台ガラスから離れて隙間が変わらないようにするため、スペーサを原稿台ガラスの下面に押し付けるばねも備えている。ばねは、移動体とイメージセンサとの間で、主走査方向の両端部に設けられていることが多い（特許文献１）。
【先行技術文献】
【特許文献】
【０００５】
【特許文献１】特許第３４９１２５１号公報
【発明の概要】
【発明が解決しようとする課題】
【０００６】
しかし、特許文献１の画像読取装置は、スペーサとしての１対のローラの外側に１対のばねが配置されているため、ばねによって、イメージセンサの両端がローラを支点にして押し上げられて、イメージセンサ全体が下方に湾曲した形状になる。このため、従来の画像読取装置は、イメージセンサと原稿台ガラスとの隙間が、主走査方向の両端部と中央部とでは異なり、イメージセンサ全体で最適な解像度を得ることができない場合があった。
【０００７】
また、特許文献１の画像読取装置は、イメージセンサが原稿台ガラスの下面を摺動するとき、原稿台ガラスの下面に沿って回動しないように、走行体の端部に互いにばね定数が異なるばねを設けている。しかし、ばねの押圧力がアンバランスであると、移動体が振動し、イメージセンサと原稿台ガラスとの間の隙間を一定に保つことができない場合がある。このため、イメージセンサが副走査方向へ移動中に、イメージセンサと原稿台ガラスとの間の隙間が変化してしまい、読み取り精度を向上させるのが困難であった。
【０００８】
本発明は、原稿の読み取り精度を向上させた画像読取装置を提供することにある。
【課題を解決するための手段】
【０００９】
本発明の画像読取装置は、上面に原稿が載置される透明体と、前記透明体の前記上面と反対側の下面の下方を移動可能な移動体と、前記移動体の上に配置されて、前記透明体の上面に載置される原稿を読み取る読取手段と、前記読取手段に設けられて、前記読取手段と前記透明体の前記下面との間に介在するスペーサ部材と、前記移動体と前記読取手段との間に設けられて、前記読取手段を前記透明体の前記下面へ付勢する付勢部材と、前記移動体と前記読取手段との間に設けられて、前記移動体と前記読取手段とを係合する係合手段と、を備え、前記付勢部材と前記スペーサ部材は、前記読取手段の前記移動体の移動方向に対して直交する方向の両端部にて、前記付勢部材の上方に前記スペーサ部材が配置され、前記係合手段は、前記付勢部材及び前記スペーサ部材よりも、前記直交する方向において外側に配置されている、ことを特徴としている。
【発明の効果】
【００１０】
本発明の画像読取装置は、イメージセンサが湾曲することを防止し、原稿の読み取り精度を向上させることができる。
【図面の簡単な説明】
【００１１】
【図１】本発明の実施形態における画像形成装置のシート搬送方向に沿った断面概略図である。
【図２】本発明の実施形態の画像読取装置の装置本体の平面図である。
【図３】図２の固定読みガラス、流し読みガラス、及び掬い上げ部材を取り除いた、画像読取装置の装置本体の平面図である。
【図４】図３のＹ−Ｙ矢視断面図である。
【図５】図３において、読取ユニットを矢印Ｆ方向から見た図である。
【図６】図４における読取ユニットのイメージセンサのＸ−Ｘ矢視断面概略図である。
【図７】読取ユニットの外観斜視図である。
【図８】スペーサとばねとの配置関係を示す図である。（Ａ）は、スペーサがばねの内側にある場合の図である。（Ｂ）は、スペーサがばねの外側にある場合の図である。
【図９】回動阻止部と回転阻止部との拡大概略図である。
【発明を実施するための形態】
【００１２】
以下、本発明の実施形態の画像読取装置と、この画像読取装置を装置本体に備えた画像形成装置とを図に基づいて説明をする。
【００１３】
図１は、本発明の実施形態における画像形成装置のシート搬送方向に沿った断面概略図である。画像形成装置１００は、装置本体４００と、装置本体４００の上部に設けられた画像読取装置３００とを備えている。
【００１４】
装置本体４００内のピックアップローラ４２０，４２１は、カセット４０４，４０５に収納された記録媒体としてのシートＰをカセット４０４，４０５から送り出す。搬送ローラ対４２２は、カセットから送り出されたシートを、感光体ドラム４０２と転写器４０６との間に送り込む。
【００１５】
一方、レーザスキャナ４０１は、帯電器４２３で表面を帯電された感光体ドラム４０２にレーザを照射して、画像読取装置３００で原稿を読み取った画像情報に基づいた潜像を感光体ドラム４０２に形成する。その潜像は、トナー現像器４０３によって、トナー現像されて、トナー画像となる。転写器４０６は、感光体ドラム４０２と転写器４０６との間に送り込まれたシートに感光体ドラム４０２のトナー画像を転写して、そのシートを感光体ドラム４０２とで定着手段としての定着器４０７に送り込む。定着器４０７は、シートを加熱してトナー画像をシートに定着する。最後、排出ローラ対４０８がシートをトレイ４２４に排出する。
【００１６】
シートの両面に画像を形成する場合、定着器４０７から送り出されたシートは、切替部材４０９，４１７，４１３の案内と、搬送ローラ対４１１の搬送とによって反転パス４１２に送り込まれる。このとき、切替部材４０９は実線の位置おり、切替部材４１７は破線と異なる位置におり、切替部材は破線の位置にいる。その後、シートは、搬送ローラ対４１１の逆転と切替部材４１３の案内とによって、反転パス４１２から帰還パス４１０に送り込まれる。この間にシートは、スイッチバック搬送されて、表裏反転される。シートは、帰還パス４１０を案内されて、再度、感光体ドラム４０２と転写器４０６との間に送り込まれて他方の面にトナー画像を形成される。シートは、定着器４０７においてトナー画像を定着されて、最後、トレイ４２４に排出される。
【００１７】
帯電器４２３、感光体ドラム４０２、及びトナー現像器４０３等からなる現像剤像形成手段、及び転写手段としての転写器４０６等は、画像形成部４３０を構成している。
【００１８】
画像読取装置３００は、画像読取装置３００の装置本体３０３と、この装置本体３０３に開閉自在に設けられた原稿供給部２００とを備えている。
【００１９】
原稿供給部２００は、原稿トレイ２０１上の原稿Ｄを、搬送ローラ２０２，２０３，２０５，２０６，２０７によって、流し読みガラス３２１上に送り込み、その後、搬送ローラ２０８、排出ローラ２０９によって排出トレイ２１０に排出するようになっている。
【００２０】
装置本体３０３は、原稿供給部２００と対向する部分に、固定読みガラス（透明体）３０１と、流し読みガラス（透明体）３２１と、掬い上げ部材３２２とを有している。装置本体３０３には、内部に、読取ユニット３０２と、信号処理部５０３と、走査駆動部４５０（図３）等が設けられている。
【００２１】
画像読取装置３００は、読取ユニット３０２を流し読みガラス３２１の下に待機させて、原稿供給部２００によって流し読みガラス３２１上に送り込まれてくる原稿に読取ユニット３０２の光を照射させ、その反射光を読取ユニット３０２に受光させる。そして、読取ユニット３０２は、受光した光を電気信号に変換する。その電気信号は、画像情報として、信号処理部５０３によって処理された後、レーザスキャナ４０１へ送られる。このような原稿の読み方を流し読みという。また、画像読取装置３００は、原稿供給部２００を開いて、開放された固定読みガラス３０１に原稿を載置した後、原稿供給部２００を閉じて、読取ユニット３０２を矢印Ｈ方向に移動させることによって原稿を読みとる固定読みも行えるようになっている。
【００２２】
また、画像読取装置３００は、読取ユニット３０２が読み取った画像情報を画像形成装置１００の装置本体４００のレーザスキャナ４０１に送る他に、パソコン、ファクシミリ等の外部機器にも送信できるようになっている。また、画像読取装置３００の装置本体３０３には、画像形成装置を操作するために必要な情報が表示される表示パネル５０６が設けられている。
【００２３】
以上の構成で、読取ユニット３０２、信号処理部５０３は、読取部４６０を構成している。
【００２４】
図２は、本発明の実施形態の画像読取装置３００の装置本体３０３の平面図である。図３は、図２の固定読みガラス３２１、流し読みガラス３０１、及び掬い上げ部材３２２を取り除いた、画像読取装置３００の装置本体３０３の平面図である。なお、図２、図３において、左右方向を副走査方向、副走査方向に直交する方向を主走査方向とする。副走査方向は、流し読み時における原稿通過方向でもある。
【００２５】
装置本体３０３には、読取ユニット３０２を往復移動自在に案内するガイドシャフト３０７が副走査方向に沿って設けられている。読取ユニット３０２は、長尺の部材で主走査方向に対して平行に位置している。図３において、ガイドシャフト３０７の一端（左端）側には、駆動モータ３０８と、駆動モータ３０８の回転力を伝えるギア３０９と、ギア３０９によって回転するプーリ３１０とが配設されている。ガイドシャフト３０７の他端（右端）側には、プーリ３１１が配設されている。プーリ３１０とプーリ３１１とには、タイミングベルト３１２が架け渡してある。タイミングベルト３１２は、副走査方向に対して平行に配置されて、読取ユニット３０２の移動体３０４に連結されている（図４）。移動体３０４は、Ｖ字状の軸受３０４ａ（図４）がガイドシャフト３０７に載置されて支持されている。
【００２６】
したがって、駆動モータ３０８が回転すると、ギア３０９、プーリ３１０が回転して、タイミングベルト３１２がプーリ３１０，３１１に案内されて循環し、読取ユニット３０２が副走査方向に往復移動をする。読取ユニット３０２の副走査方向の矢印Ｈ，Ｅ方向への移動の切り替えは、駆動モータ３０８の回転方向の切り替えによって行われる。読取ユニット３０２は、固定読みガラス３０１の下を往復移動して、画像読取装置３００が原稿の固定読みができるようになっている。また、読取ユニット３０２は、流し読みガラス３２１の下に移動して停止し、原稿供給部２００から送られてくる原稿を流し読みできるようになっている。なお、読取ユニット３０２がホームポジションに居るか否かは、装置本体３０３の左端に設けられた、ホームポジションセンサ３１３（図３）によって検知される。以上の構成において、ガイドシャフト３０７、駆動モータ３０８、ギア３０９、プーリ３１０，３１１、タイミングベルト３１２等は、読取ユニット３０２を副走査方向に往復移動させる駆動部４５０を構成している。
【００２７】
図４は、図３のＹ−Ｙ矢視断面図である。図５は、図３において、読取ユニット３０２を矢印Ｆ方向から見た図である。図６は、図４における読取ユニット３０２のイメージセンサ３１６のＸ−Ｘ矢視断面概略図である。図７は、読取ユニット３０２の外観斜視図である。
【００２８】
読取ユニット３０２は、主走査方向に沿った長尺な部材であり、密着型のイメージセンサ（ＣＩＳとも言われている）３１６、圧縮コイルバネ３１４、移動体３０４、スペーサ３１５等で構成されている。移動体３０４は、Ｖ字状の軸受３０４ａ（図４）をガイドシャフト３０７に載置されてガイドシャフト３０７に支持され、かつタイミングベルト３１２に接続されて、副走査方向に往復移動するようになっている。このため、読取ユニット３０２は、駆動部４５０によって副走査方向に往復移動にするように（移動可能に）なっている。
【００２９】
イメージセンサ３１６は、原稿に光を照射して、その反射光を受光し、電気信号に変換して信号処理部５０３（図１）に画像信号として送るようになっている。イメージセンサ３１６は、ＬＥＤ３１６ｃ、ライトガイド３１６ｂ、ロッドレンズアイ３１６ｄ、及び受光部３１６ｅ等を備えている。光源としてのＬＥＤ３１６ｃは、流し読みガラス３０１上の原稿、或いは固定読みガラス３２１上の原稿に、下方から上方に向けて光Ｌを照射するようになっている。ライトガイド３１６ｂは、ＬＥＤ３１６ｃの光を、有効に流し読みガラス３０１上の原稿、或いは固定読みガラス３２１上の原稿に照射できるように、案内する部材である。ロッドレンズアイ３１６ｄは、ＬＥＤ３１６ｃが原稿を照射した光の反射光を、受光部３１６ｅに結像するようになっている。ロッドレンズアイ３１６ｄは、結像の輝度に応じた電気信号を発するようになっている。信号処理部５０３は、受光部３１６ｅの読取信号を処理して電気信号として信号処理部５０３に送るようになっている。なお、光源としては、ＬＥＤ３１６ｃの代わりに蛍光灯を使用してもよい。
【００３０】
イメージセンサ３１６は、移動体３０４に圧縮コイルばね３１４によって支持されており、圧縮コイルばね３１４によってスペーサ３１５を介して固定読み用ガラス３０１又は流し読みガラス３２１に押し付けられている。スペーサ３１５は、イメージセンサ３１６と移動体３０４との間に介在している。このため、イメージセンサ３１６の上面３１６ｆと、固定読み用ガラス３０１、及び流し読みガラス３２１の下面３０１ａ，３２１ａとの間に隙間Ｇが形成されている。この隙間Ｇは、イメージセンサ３１６の上面３１６ｆが各ガラスの下面３０１ａ，３２１ａに接触しないようにするために形成されている。また、隙間Ｇは、イメージセンサ３１６と流し読みガラス３２１が多少撓んでも、イメージセンサ３１６と固定読み用ガラス３０１、及び流し読みガラス３２１との距離を一定に保つために形成されて、画像読取装置３００の読取精度の低下を防止している。
【００３１】
以上の構成の画像読取装置３００は、読取ユニット３０２を駆動部４５０の駆動によって副走査方向に、固定読みガラス３２０の下を移動させて、ユーザによって固定読み用ガラス３０１上に置かれた原稿を固定読みすることができる。また、画像読取装置３００は、読取ユニット３０２を駆動部４５０の駆動によって副走査方向の矢印Ｅに移動させて、図１に示すように、流し読みガラス３２１の下に停止させる。そして、画像読取装置３００は、原稿供給部２００によって、原稿を流し読みガラス３２１上に自動的に搬送して、原稿の流し読みもすることができる。
【００３２】
ここで、ばね３１４とスペーサ３１５との配置関係について説明をする。図４において、ばね３１４は、圧縮コイルばねである。ばね３１４は、下端部が移動体３０４の長手方向に両端部に形成された円柱状の突部３０４ｂに嵌合し、上端部がイメージセンサ３１６の長手方向の両端部に形成された円形状の溝３１６ａに挿入されて、移動体３０４とイメージセンサとの間に設けられている。
【００３３】
なお、図４、図８において、Ａは１対のスペーサ（スペーサ部材）３１５の間隔を示し、Ｂは１対のばねの間隔を示し、そして、図４のＫは後述する１対の回動阻止部の間隔を示している。
【００３４】
図８（Ａ）のように、従来と同様に、１対のスペーサ３１５の外側に１対のばね３１４が配置されていると（Ａ＜Ｂ）、イメージセンサ３１６は、破線で示すように、固定読みガラス３０１（又は、流し読みガラス３２１）から離れる方向に湾曲することがある。また、図８（Ｂ）のように、１対のスペーサ３１５の内側に１対のばね３１４が配置されていると（Ａ＞Ｂ）、イメージセンサ３１６は、破線で示すように、固定読みガラス３２１（又は、流し読みガラス３２１）に接近する方向に湾曲することがある。いずれにしても、ばね３１４とスペーサ３１５との位置が、長尺の読取ユニット３０２の長手方向（主走査方向）に位置がずれていると、イメージセンサ３１６が下方又は上方に湾曲して撓むことがある。
【００３５】
このようにして、イメージセンサ３１６が下方又は上方に湾曲して撓むと、イメージセンサ３１６の上面３１６ｆと、固定読みガラス３０１の下面（上面と反対側の面）３０１ａ、及び流し読みガラス３２１の下面３２１ａとの隙間Ｇが不均一になる。このため、イメージセンサ３１６の長手方向の中央部分と両端部分とでは隙間Ｇが異なり、イメージセンサ３１６の画像の解像度が低下する部分が生じて、読み取り画像がぼやけることがある。このため、隙間全体は、最適な間隔に保持されていることが重要である。
【００３６】
そこで、本実施形態の画像読取装置３００は、付勢部材としてのばね３１４とスペーサ３１５とを、図４のように、イメージセンサ３１６の長手方向（イメージセンサの移動体の移動方向に対して直交する方向）の両端部にて、上下方向で重ねて配置してある。すなわち、Ａ＝Ｂの配置関係にある。
【００３７】
このように、ばね３１４とスペーサ３１５が、重なっていると、図８と異なって、イメージセンサ３１６が上下方向に湾曲して撓むことを防止して、隙間Ｇを全体で均一にすることができて、イメージセンサ３１６全体で最適な解像度を得ることができる。また、このような画像読取装置３００を装置本体４００に備えた画像形成装置１００は、画像読取装置が読み取った画像をシートに複写したとき、その画像の画質を向上させることができる。
【００３８】
なお、ばね３１４とスペーサ３１５とが上下方向で重なって、イメージセンサ３１６の撓みが防止されているが、必ずしもＡ＝Ｂである必要はない。Ａ≒Ｂの関係においても、解像度に影響が生じない程度に撓みが防止されていればよい。したがって、本願の請求項は、Ａ＝Ｂのみならず、Ａ≒Ｂの概念も含むものである。ここでは、スペーサ３１５が固定読みガラス３０１の下面３０１ａ（又は、流し読みガラス３２１の下面３２１ａ）と接触する接触領域の中心位置と、ばね３１４の中心位置が等しいことを、Ａ＝Ｂとしている。
【００３９】
ところで、画像読取装置３００は、図７に示すように、移動体３０４にタイミングベルト３１２が係合されて、駆動モータ３０８によりタイミングベルト３１２が循環することで移動体３０４が副走査方向に往復移動するようになっている。このとき、移動体３０４は、ベルト３１２の牽引力を受けて回転モーメントが発生し、固定読みガラス３０１の下面３０１ａ（又は、流し読みガラス３２１の下面３２１ａ）に沿って、水平回動をしようとする。しかし、移動体３０４の軸受３０４ａがガイドシャフト３０７に隙間無く係合している。このため、移動体３０４は、ベルト３１２の牽引力によって回転モーメントが生じても、軸受３０４ａとガイドシャフト３０７との係合によって、回動を阻止されて、殆ど回動しないようになっている。
【００４０】
一方、イメージセンサ３１６は、スペーサ３１５を介して固定読みガラス３０１の下を摺動するようになっている。このため、固定読みガラス３０１に対するスペーサ３１５の摩擦によって、イメージセンサ３１６に、固定読みガラス３０１の下面３０１ａに沿った回動方向の負荷が生じることがある。移動体３０４とイメージセンサ３１６が、仮にばね３１４によってのみ接続されている場合は、イメージセンサ３１６に回動方向の負荷が生じると、イメージセンサ３１６は、移動体３０４に対して、回動方向に相対位置がずれることがある。しかも、この回動方向のずれは、移動体３０４の移動中に変わるため、画像の直角性等の幾何特性に影響が出て、読み取り精度の低下の原因となる。なお、この現象は、イメージセンサ３１６が流し読みガラス３２１の下面３２１ａを移動する場合も同様な現象が生じることがある。
【００４１】
そこで、本実施例の画像読取装置３００は、図４、図９に示すように、回動阻止部３４０によって、殆ど回動しない移動体３０４に対してイメージセンサ３１６を移動体３０４の主走査方向の端部において一体化して構成されている。このため、イメージセンサ３１６は回動せずに副走査方向に平行移動でき、読取精度を向上させることが可能となる。
【００４２】
図９は、回動阻止部３４０の概略斜視図である。回動阻止部３４０は、移動体３０４とイメージセンサ３１６との長手方向の両端部の間に設けられている。回動阻止部３４０は、イメージセンサ３１６の長手方向の端部に外側に向けて突設されたＵ字状（平面視Ｕ字状）の規制片３４１と、移動体３０４の長手方向の端部に下から上方に延びる弾性を備えた突片３４２とで形成されている。規制片３４１は、突片３４２を囲むようにして形成されている。突片３４２は、移動台側に弾性変形して、規制片３４１に挿入されるようになっている。
【００４３】
イメージセンサ３１６が固定読みガラス３０１の下面３０１ａ（又は、流し読みガラス３２１の下面３２１ａ）に沿って、矢印Ｃ方向に回動すると、規制片３４１の内面３４１ａが突片３４２の側部３４２ａに回動方向で当接して、その回動が規制される。この結果、イメージセンサ３１６は、回動せずに副走査方向に平行移動することができ、読取精度を向上させることが可能となる。
【００４４】
しかも、係合手段としての回動阻止部３４０は、ばね３１４とスペーサ３１５との、主走査方向の外側に設けてある。このため、１対の回動阻止部３４０の間隔Ｋは、ばね３１４及びスペーサ３１５の間隔Ａ，Ｂよりも広く設定されている（Ｋ＞Ａ≒Ｂ）。主走査方向における内側で回動を規制するよりも、主走査方向における外側で回動を規制する方が効果的であるため、回動阻止部３４０は、イメージセンサ３１６の回動阻止を有効に機能することができる。よって、より一層、イメージセンサ３１６が回動せずに副走査方向に平行移動することができるようになる。
【００４５】
よって、画像読取装置３００は、幾何特性に対してより精度の高い読取画像を得ることができる。
【００４６】
また、イメージセンサ３１６は、ばね３１４によって、常時、移動体３０４から離れる方向に付勢されている。このため、イメージセンサ３１６とばね３１４と移動体３０４とをユニット化して読取ユニット３０２に組み込むとき、ばね３１４に抗して、イメージセンサ３１６と移動体３０４とを互いに接近させる方向に指で挟んで、組み込まなければならない。したがって、イメージセンサ３１６とばね３１４と移動体３０４とをユニット化しての読取ユニット３０２への組み込が困難である。
【００４７】
そこで、図４、図９に示すように、画像読取装置３００は、イメージセンサ３１６と移動体３０４とがばね３１４に付勢されて互いに分離されるのを阻止する分離阻止部３５０を移動体３０４とイメージセンサ３１６との両端部に備えている。係合手段としての分離阻止部３５０は、規制片３４１と、突片３４２と、突片３４２の先端に形成されたフック３５１とで形成されている。イメージセンサ３１６と移動体３０４とがばね３１４に付勢されて互いに分離しようとすると、規制片３４１の上面３４１ｂにフック３５１に当接して、分離が阻止される。この結果、イメージセンサ３１６とばね３１４と移動体３０４とをユニット化しての、読取ユニット３０２への組み込みが容易になる。また、そのことによって、イメージセンサを固定読みガラス３０１や流し読みガラス３２１に接触させて、傷を付けることを回避することができる。
【００４８】
しかも、規制片３４１と突片３４２が、回動阻止部３４０と分離阻止部３５０とに兼用された部分であるので、部品点数が少なく、構造が簡単になっている。
【００４９】
本発明の画像読取装置は、読み取り精度を向上させた画像読取装置を備えているので、画像読取装置が読み取った画像をシートに複写したとき、その画像の画質を向上させることができる。
【符号の説明】
【００５０】
１００：画像形成装置、３００：画像読取装置、３０１：原稿台ガラス（透明体）、３０２：読取ユニット、３０４：移動体、３１４：ばね（付勢部材）、３１５：スペーサ（スペーサ部材）、３１６：イメージセンサ（読取手段）、３２１：流し読みガラス（透明体）、３４０：回動阻止部（係合手段）、３４１：規制片、３４２：突片、３５０：分離阻止部（係合手段）、３５１：フック、４００：画像形成装置の装置本体、４０２：感光体ドラム（現像剤像形成手段）、４０３：トナー現像器（現像剤像形成手段）、４０６：転写器（転写手段）、４０７：定着器（定着手段）、４２３：帯電器（現像剤像形成手段）、Ｐ：シート（記録媒体）。
【図１】
2015076858.tif 000003
【図２】
2015076858.tif 000004
【図３】
2015076858.tif 000005
【図４】
2015076858.tif 000006
【図５】
2015076858.tif 000007
【図６】
2015076858.tif 000008
【図７】
2015076858.tif 000009
【図８】
2015076858.tif 000010
【図９】
2015076858.tif 000011